(57)【要約】【課題】撮像した画像に対し、人の視覚に適した画像処理を施すこと。【解決手段】撮像された画像の画像処理を行う画像処理装置（１００）は、画像を構成する色成分のうち、所定の色成分を入力する入力手段（１０）と、入力手段により入力された色成分の反対側の色成分を付加する色成分付加手段（６）を備える。また、この画像処理装置は、無彩色画像を撮像する無彩色撮像モードで撮像された画像に青色成分を付加する青色成分付加手段（６）を備える。【選択図】図２
2005260683.tif 000002
【特許請求の範囲】
【請求項１】
撮像された画像の画像処理を行う画像処理装置であって、
前記画像を構成する色成分のうち、所定の色成分を入力する入力手段と、
前記入力手段により入力された色成分の反対側の色成分を付加する色成分付加手段を備えることを特徴とする画像処理装置。
【請求項２】
前記色成分付加手段は、所定のカラーマトリックスに基づいて前記画像に色成分を付加することを特徴とする請求項１に記載の画像処理装置。
【請求項３】
撮像された画像の画像処理を行う画像処理装置であって、
無彩色画像を撮像する無彩色撮像モードで撮像された画像に青色成分を付加する青色成分付加手段を備えることを特徴とする画像処理装置。
【請求項４】
前記青色成分付加手段は、所定のカラーマトリックスに基づいて前記画像に青色成分を付加することを特徴とする請求項３に記載の画像処理装置。
【発明の詳細な説明】
【技術分野】
【０００１】
本発明は、主にデジタルカメラ等に設けられる画像処理装置に関する。
【背景技術】
【０００２】
従来、無彩色の画像を撮像する無彩色撮像モードを有するデジタルカメラがあるが、一般に無彩色撮像モードで被写体を撮像すると、画像によっては、目に見えているものよりも暗い印象を与えるものがあった。そこで、無彩色撮像モードで撮像する際には、適正露光量よりも多めの露光量を設定したり、多めのダークグリップ処理量を設定することで、鮮明な無彩色画像を撮像することができるデジタルカメラが提案されている（例えば、特許文献１参照。）。
【特許文献１】特開２０００−１８４２７３号公報
【発明の開示】
【発明が解決しようとする課題】
【０００３】
ところで、デジタルカメラで撮像した画像の中には、黄色っぽい、赤っぽい等のように、人の視覚上、一部の色合いが強く感じられてしまうものがある。これは、被写体の色を忠実に再現してはいるが、撮像された画像は印刷等がされて人が鑑賞するものである以上、人の視覚に適した画像処理を行う必要があった。特に、無彩色画像モードで撮像した画像は、画像全体が黄色っぽく感じてしまうという問題があった。
【０００４】
そこで、本発明の課題は、撮像した画像に対し、人の視覚に適した画像処理を施すことができる画像処理装置を提供することである。
【課題を解決するための手段】
【０００５】
以上の課題を解決するため、請求項１に記載の発明は、撮像された画像の画像処理を行う画像処理装置であって、前記画像を構成する色成分のうち、所定の色成分を入力する入力手段と、前記入力手段により入力された色成分の反対側の色成分を付加する色成分付加手段を備えることを特徴とする。
【０００６】
請求項２に記載の発明は、請求項１に記載の画像処理装置において、前記色成分付加手段は、所定のカラーマトリックスに基づいて前記画像に色成分を付加することを特徴とする。
【０００７】
請求項３に記載の発明は、撮像された画像の画像処理を行う画像処理装置であって、無彩色画像を撮像する無彩色撮像モードで撮像された画像に青色成分を付加する青色成分付加手段を備えることを特徴とする。
【０００８】
請求項４に記載の発明は、請求項３に記載の画像処理装置において、前記青色成分付加手段は、所定のカラーマトリックスに基づいて前記画像に青色成分を付加することを特徴とする。
【発明の効果】
【０００９】
請求項１に記載の発明によれば、入力手段により画像を構成する色成分のうち、所定の色成分を入力すると、色成分付加手段は、入力手段により入力された色成分の反対側の色成分を付加する。これにより、撮像した画像において、一部の色合いが強いものであっても、その反対成分の色成分を付加して強い色成分を弱めることによって、人の視覚に適した画像処理を施すことができる。
【００１０】
請求項２に記載の発明によれば、所定のカラーマトリックスに基づいて画像に色成分を付加するので、カラーマトリックスの成分を変えるだけで色成分の付加量を容易に調節できる。
【００１１】
請求項３に記載の発明によれば、無彩色で撮像された画像は、人の視覚上、黄色っぽく映るが、青色成分付加手段によって黄色の反対成分である青色成分が付加されることにより、視覚上で黄色っぽく写る部分が白っぽく写っているように感じるようになる。よって、画像を鮮明にすることができる。
【００１２】
請求項４に記載の発明によれば、所定のカラーマトリックスに基づいて画像に色成分を付加するので、カラーマトリックスの成分を変えるだけで色成分の付加量を容易に調節できる。
【発明を実施するための最良の形態】
【００１３】
以下、図面を参照して、本発明に係る画像処理装置の最良の形態について詳細に説明する。なお、本実施の形態においては、画像処理装置として有彩色撮像モード及び無彩色撮像モードを有するデジタルカメラを例に挙げて説明する。
【００１４】
図１にデジタルカメラ１００の構成を示す。図１に示すように、撮像素子としてのＣＣＤ（Charge Coupled Device）１は、結像された光画像を光電変換するものであり、駆動回路２は、転送パルスを生成してＣＣＤ１に供給する回路である。そして、ＣＣＤ１は、この転送パルスに基づいてアナログ電気画像信号を出力する。
ＣＤＳ（相関二重サンプリング）回路３はノイズを低減するための回路であり、駆動回路２から出力された駆動パルスに基づいて駆動される。Ａ／Ｄ変換回路４は、アナログ信号をデジタル信号に変換する。尚、輝度レベルが高いときほど、大きな値のデジタル信号に変換されるものとする。このＡ／Ｄ変換回路４を介して得られたＣＣＤ１の画素毎の画像データは、一旦、画像用メモリ５に記憶される。
画像用メモリ５に記憶された画像データは、ＣＰＵ６によって各種の画像処理が施され、最終的には、メモリカード、光磁気ディスク等の記録媒体からなる記録部７に記憶される。
【００１５】
具体的に、ＣＰＵ６は、後述する入力部１０により入力された色成分の反対側の色成分を付加する色成分付加手段として機能する。ここで、ＣＰＵ６は、カラーマトリックスとしてのＲＧＢマトリックスに基づいて画像に色成分を付加する。また、ＣＰＵ６は、無彩色撮像モードで撮像された画像に青色成分を付加する青色成分付加手段として機能する。ここで、ＣＰＵ６は、カラーマトリックスとしてのＲＧＢマトリックスに基づいて画像に青色成分を付加する。これは、無彩色撮像モードで撮像された画像は、ユーザの目には黄色成分が強く見えるためである。
入力部１０は、撮像された画像を構成する色成分のうち、ユーザによって色合いが最も強いと感じられた色成分が入力される入力手段として機能する。
【００１６】
液晶表示装置１１は、撮像された画像や必要な操作情報等を表示するものである。ＣＣＤ１の前面には、レンズ１２と、光量を調節する絞り１３と、ＣＣＤ１の温度を検出する温度センサ１４と、が備えられ、温度センサ１４の検出信号は制御部８に入力される。
また、被写体までの距離を計測する測距手段（図示略）が備えられており、この測距手段からの信号により、制御部８は、レンズ駆動回路１５を駆動し、合焦位置にレンズ１２を移動させる。
【００１７】
次に、デジタルカメラ１００で撮像した画像の画像処理を行う方法について図２を用いて説明する。
図２に示すように、ＣＰＵ６は、画像が撮像されたか否かを判断する（ステップＳ１）。ここで、ＣＰＵ６は画像が撮像されたと判断した場合（ステップＳ１：ＹＥＳ）、ＣＰＵ６は、撮像された画像が有彩色撮像モードで撮像されたか否かの判断を行う（ステップＳ２）。一方、ＣＰＵ６は、画像が撮像されていないと判断した場合（ステップＳ１：ＮＯ）、ＣＰＵ６はステップＳ１の処理を繰り返す。
次いで、ＣＰＵ６が有彩色撮像モードで撮像された画像であると判断した場合（ステップＳ２：ＹＥＳ）、ＣＰＵ６は撮像した画像を液晶表示装置１１に表示させる（ステップＳ３）。
【００１８】
液晶表示装置１１に撮像した画像が表示されると、ユーザは表示された画像を観察し、画像の色合いについてどの色成分が強いかを判断した上で、入力部１０により最も強い色成分を入力する。すると、ＣＰＵ６は最も強い色成分が入力されたと判断し（ステップＳ４：ＹＥＳ）、ＣＰＵ６は、色成分付加プログラム９ａを実行することにより、入力部１０により入力された色成分の反対側の色成分を画像に付加し（ステップＳ５）、これをもって本処理を終了させる。具体的には、ＣＰＵ６は、入力部１０からシアン成分が入力されたと判断した場合には、その反対の色成分である赤色成分を画像に付加する。また、入力部１０からイエロー成分が入力されたと判断した場合には、その反対の色成分である青色成分を画像に付加する。また、入力部１０からマゼンタ成分が入力されたと判断した場合には、その反対の色成分である緑色成分を画像に付加する。一方、ＣＰＵ６が最も強い色成分が入力されていないと判断した場合（ステップＳ４：ＮＯ）、ＣＰＵ６はステップＳ４の処理を繰り返す。
【００１９】
ここで、ステップＳ５における画像への色成分の付加について説明する。数式１は、有彩色モードで撮像した場合に、特定色の強調を行う際のカラーマトリックスとしてのＲＧＢマトリックスの一例である。なお、数式１は、赤色成分（Ｒ成分）を強調する場合のＲＧＢマトリックスである。
【数１】
2005260683.tif 000003
ＣＰＵ６は、ＲＧＢ画素からなる画像を数式１のＲＧＢマトリックスを用いてＲ成分を付加する。
【００２０】
一方、ＣＰＵ６が有彩色撮像モードで撮像された画像ではない、すなわち、無彩色撮像モードで撮像された画像であると判断した場合（ステップＳ２：ＮＯ）、ＣＰＵ６は、ＲＧＢ画素からなる画像をＹＣｂＣｒ形式に変換する。この変換には、数式２を用いる。
【数２】
2005260683.tif 000004
ここで、ＣＰＵ６は、青色成分付加プログラム９ｂを実行することにより、Ｃｂの値を増加させ、撮像された画像に青色成分を付加する（ステップＳ６）。
なお、無彩色画像については、ユーザによる入力部１０からの色成分を入力をしなくても画像には自動的に青色成分が付加される。これは、無彩色画像は、人の目の特性上、黄色成分が強く見えるため、その反対側の色成分である青色成分を付加すればよいからである。
【００２１】
ここで、画像への色成分の付加については、有彩色画像の画像処理と同様に、青色成分を付加するには、Ｃｂの値を増加させる。すなわち、本来、無彩色画像においては、Ｃｒ、Ｃｂともに「０」であるが、Ｃｒは「０」のままで、Ｃｂのみを「１２」とすることにより、画像に青色成分を付加する。
【００２２】
本実施形態におけるデジタルカメラ１００によれば、撮像された画像を構成する色成分のうち、ユーザによって色合いが最も強いと感じられた色成分が入力されると、ＣＰＵ６は、色成分付加プログラム９ａを実行することにより、入力部１０により入力された色成分の反対側の色成分を付加する。これにより、撮像した画像において、一部の色合いが強いものであっても、その反対成分の色成分を付加して強い色成分を弱めることによって、人の視覚に適した画像処理を施すことができる。
また、無彩色撮像モードで撮像された画像は、人の視覚上、黄色っぽく映るが、被写体が無彩色撮像モードで撮像された場合に、ＣＰＵ６は青色成分付加プログラム９ｂを実行することにより、画像には黄色の反対側の色成分である青色成分が付加される。よって、画像が白っぽくなり、画像を鮮明にすることができる。
また、ＲＧＢマトリックスに基づいて画像に色成分を付加するので、カラーマトリックスの成分を変えるだけで色成分の付加量を容易に調節できる。
【００２３】
なお、本発明は、上記実施の形態に限定されるものではない。例えば、色成分の付加において、付加すべき色成分の選択をユーザの判断によるものではなく、ＣＰＵ６が各色成分の色差の差に基づいて最適な色成分を付加するようにしてもよい。また、無彩色モードで撮像された画像について、ＹＣｂＣｒ形式のパラメータを変更するようにしたが、ＲＧＢの値を変更するものでもよい。その他、本発明は、発明の要旨を逸脱しない範囲内で自由に変更、改良が可能である。
【図面の簡単な説明】
【００２４】
【図１】デジタルカメラの概略構成を示すブロック図である。
【図２】本実施形態における画像処理の流れを示すフローチャートである。
【符号の説明】
【００２５】
６  ＣＰＵ（色成分付加手段、青色成分付加手段）
１０  入力部（入力手段）
１００  デジタルカメラ（画像処理装置）
【図１】
2005260683.tif 000005
【図２】
2005260683.tif 000006